(57)【要約】      （修正有）【課題】組立作業性を向上させることが可能な表示装置を提供する。【解決手段】テレビジョン装置（表示装置）は、光学シート２２と、光学シート２２の前方に配置される液晶パネル２１と、光学シート２２を保持する光学シート保持部１０と、液晶パネル２１を支持する液晶パネル支持部１１とを含む、樹脂により形成されるリアキャビネット１と、を備える。【選択図】図４
2015226270.tif 000002
【特許請求の範囲】
【請求項１】
光学シートと、
前記光学シートの前方に配置される表示パネルと、
前記光学シートを保持する光学シート保持部と、前記表示パネルを支持する表示パネル支持部とを含む、樹脂により形成されるリアキャビネットとを備えた、表示装置。
【請求項２】
前記リアキャビネットの前記光学シート保持部は、前記光学シートの後面を保持する後面保持部と、前記光学シートの前面を保持する前面保持部とを有し、前記光学シートを前記後面保持部と前記前面保持部との間に挟み込むことにより保持するように構成され、
前記リアキャビネットの前記表示パネル支持部は、前記前面保持部の前面により構成されている、請求項１に記載の表示装置。
【請求項３】
前記リアキャビネットは、外縁部から前方に延びる第１側壁部を含み、
前記リアキャビネットの前記前面保持部は、前記第１側壁部の前後方向における途中から、内側方向、かつ、前後方向と直交する横方向に突出するように構成されている、請求項２に記載の表示装置。
【請求項４】
前記表示パネルの前方への移動を規制する前側規制部を含むフロントキャビネットをさらに備え、
前記表示パネルは、前記表示パネル支持部と、前記フロントキャビネットの前記前側規制部との間に挟まれるように配置されている、請求項１〜３のいずれか１項に記載の表示装置。
【請求項５】
前記光学シートは、矩形形状に形成され、前記光学シート保持部により４辺が保持されるように構成されている、請求項１〜４のいずれか１項に記載の表示装置。
【請求項６】
前記リアキャビネットの前記光学シート保持部および前記表示パネル支持部は、前記光学シートの前記４辺の各々において互いに対向する位置に設けられている、請求項５に記載の表示装置。
【請求項７】
前記リアキャビネットの前記光学シート保持部および前記表示パネル支持部は、前記光学シートの一対の長辺の中央の位置に１つ設けられ、前記光学シートの一対の短辺の中央の位置と端部の位置とに複数設けられている、請求項６に記載の表示装置。
【請求項８】
前記リアキャビネットの前記光学シート保持部および前記表示パネル支持部は、前記光学シートの前記４辺のうちの対向する２辺の略全域を保持するように設けられている、請求項６に記載の表示装置。
【請求項９】
前記リアキャビネットは、外縁部から前方に延びる第１側壁部を含み、
前記フロントキャビネットは、外縁部から後方に延びる第２側壁部を含み、
前記フロントキャビネットは、前記第２側壁部の内面が、前記リアキャビネットの前記第１側壁部の外面に近接した状態で前記リアキャビネットに取り付けられるように構成されている、請求項４に記載の表示装置。
【請求項１０】
前記フロントキャビネットは、前記第２側壁部に設けられ、前記リアキャビネットに係合する係合部をさらに含み、
前記係合部は、前記光学シート保持部および前記表示パネル支持部に対応する位置に配置されている、請求項９に記載の表示装置。
【発明の詳細な説明】
【技術分野】
【０００１】
この発明は、表示装置に関し、特に、光学シートと表示パネルとを備える表示装置に関する。
【背景技術】
【０００２】
従来、光学シートと表示パネルとを備える表示装置が知られている（たとえば、特許文献１参照）。
【０００３】
上記特許文献１には、光学シートと、光学シートの前方に配置される表示パネルと、光学シートの後面を支持するリアキャビネットと、表示パネルを保持するフロントキャビネットとを備えた表示装置が開示されている。この表示装置は、リアキャビネットに光学シートを載置して、さらに、リアキャビネットに表示パネルを保持するフロントキャビネットを載置することにより組み立てられるように構成されている。
【先行技術文献】
【特許文献】
【０００４】
【特許文献１】特許第５２９８１９２号公報
【発明の概要】
【発明が解決しようとする課題】
【０００５】
しかしながら、上記特許文献１では、リアキャビネットに対して光学シートおよびフロントキャビネットを載置する作業の他に、フロントキャビネットに対して表示パネルを取り付ける作業が必要であるという不都合がある。すなわち、各部品を取り付ける対象が異なるため、組立作業性が悪いという問題点がある。
【０００６】
この発明は、上記のような課題を解決するためになされたものであり、この発明の１つの目的は、組立作業性を向上させることが可能な表示装置を提供することである。
【課題を解決するための手段】
【０００７】
この発明の一の局面による表示装置は、光学シートと、光学シートの前方に配置される表示パネルと、光学シートを保持する光学シート保持部と、表示パネルを支持する表示パネル支持部とを含む、樹脂により形成されるリアキャビネットとを備えている。
【０００８】
この発明の一の局面による表示装置では、上記のように、光学シートを保持する光学シート保持部と、表示パネルを支持する表示パネル支持部とをリアキャビネットに設けることによって、リアキャビネットに対して光学シートおよび表示パネルを共に取り付けることにより表示装置の組立作業を行うことができる。これにより、一つの部品（リアキャビネット）に対して他の部品（光学シートおよび表示パネル）の組立作業を順に行うことができるので、組立作業性を向上させることができる。また、リアキャビネットを樹脂により形成することによって、リアキャビネットに対して光学シートを取り付ける際に、必要に応じてリアキャビネットを弾性変形させることができるので、リアキャビネットに光学シートを容易に取り付けることができる。
【０００９】
上記一の局面による表示装置において、好ましくは、リアキャビネットの光学シート保持部は、光学シートの後面を保持する後面保持部と、光学シートの前面を保持する前面保持部とを有し、光学シートを後面保持部と前面保持部との間に挟み込むことにより保持するように構成され、リアキャビネットの表示パネル支持部は、前面保持部の前面により構成されている。このように構成すれば、後面保持部と前面保持部との間に光学シートが挟み込まれるので、光学シートを安定して保持することができる。また、光学シートを前面保持部の後側に配置し、表示パネルを前面保持部の前側に配置するので、リアキャビネットに対して光学シートと表示パネルとを取り付けるだけで、前面保持部により光学シートと表示パネルとを所定間隔だけ離間させることができる。
【００１０】
この場合、好ましくは、リアキャビネットは、外縁部から前方に延びる第１側壁部を含み、リアキャビネットの前面保持部は、第１側壁部の前後方向における途中から、内側方向、かつ、前後方向と直交する横方向に突出するように構成されている。このように構成すれば、リアキャビネットの横方向の大きさは、光学シートおよび表示パネルの横方向の大きさに加えて、光学シートの横方向の熱膨張分、および、第１側壁部の厚み分のみを加えたものとすることができるので、リアキャビネットの横方向の大きさを小さく形成することができる。その結果、フロントキャビネットの額縁領域を狭くすることができる。
【００１１】
上記一の局面による表示装置において、好ましくは、表示パネルの前方への移動を規制する前側規制部を含むフロントキャビネットをさらに備え、表示パネルは、表示パネル支持部と、フロントキャビネットの前側規制部との間に挟まれるように配置されている。このように構成すれば、リアキャビネットに前側規制部を有するフロントキャビネットを取り付けることにより、表示パネルを支持することができるので、表示パネルの移動を規制するベゼルをなくすことができる。その結果、部品点数を削減することができる。また、部品点数の削減により、組立工程数を削減することができるので、組立作業性をより向上させることができる。
【００１２】
上記一の局面による表示装置において、好ましくは、光学シートは、矩形形状に形成され、光学シート保持部により４辺が保持されるように構成されている。このように構成すれば、光学シート保持部により光学シートの４辺すべてが保持されるので、光学シートが上下方向および左右方向のいずれの変形に対しても撓みにくくなる。その結果、光学シートがリアキャビネットから外れにくくなるので、光学シートを安定して保持することができる。
【００１３】
この場合、好ましくは、リアキャビネットの光学シート保持部および表示パネル支持部は、光学シートの４辺の各々において互いに対向する位置に設けられている。このように構成すれば、光学シートに対して、光学シート保持部および表示パネル支持部がバランスよく配置されるので、光学シートをより安定して保持することができるとともに、表示パネルを安定して支持することができる。
【００１４】
上記光学シート保持部および表示パネル支持部を光学シートの４辺の各々において互いに対向する位置に設ける構成において、好ましくは、リアキャビネットの光学シート保持部および表示パネル支持部は、光学シートの一対の長辺の中央の位置に１つ設けられ、光学シートの一対の短辺の中央の位置と端部の位置とに複数設けられている。このように構成すれば、リアキャビネットの長辺側の方がリアキャビネットの短辺側よりも弾性変形させやすいので、リアキャビネットに対して光学シートの短辺側を取り付けてから光学シートの長辺側を取り付ける際に、リアキャビネットの長辺側を弾性変形させることにより、光学シートをリアキャビネットに容易に取り付けることができる。
【００１５】
上記光学シート保持部および表示パネル支持部を光学シートの４辺の各々において互いに対向する位置に設ける構成において、好ましくは、リアキャビネットの光学シート保持部および表示パネル支持部は、光学シートの４辺のうちの対向する２辺の略全域を保持するように設けられている。このように構成すれば、光学シートを対向する２辺の略全域で保持することができるので、光学シートを一層安定して保持することができる。
【００１６】
上記フロントキャビネットが前側規制部を含む構成において、好ましくは、リアキャビネットは、外縁部から前方に延びる第１側壁部を含み、フロントキャビネットは、外縁部から後方に延びる第２側壁部を含み、フロントキャビネットは、第２側壁部の内面が、リアキャビネットの第１側壁部の外面に近接した状態でリアキャビネットに取り付けられるように構成されている。このように構成すれば、リアキャビネットの第１側壁部とフロントキャビネットの第２側壁部とが近接して配置されるので、フロントキャビネットの額縁領域を狭くすることができる。
【００１７】
この場合、好ましくは、フロントキャビネットは、第２側壁部に設けられ、リアキャビネットに係合する係合部をさらに含み、係合部は、光学シート保持部および表示パネル支持部に対応する位置に配置されている。このように構成すれば、締結部材を削減または抹消することができるので、フロントキャビネットとリアキャビネットとを容易に係合させることができる。また、表示パネル支持部の位置と係合部の位置とが対応するので、係合部の近傍において、フロントキャビネットの前側規制部と表示パネル支持部との距離を一定に保つことができる。
【発明の効果】
【００１８】
本発明によれば、上記のように、組立作業性を向上させることが可能な表示装置を提供することができる。
【図面の簡単な説明】
【００１９】
【図１】本発明の第１〜第３実施形態によるテレビジョン装置を前方から見た全体斜視図である。
【図２】本発明の第１実施形態によるテレビジョン装置を後方から見た分解斜視図である。
【図３】本発明の第１実施形態によるテレビジョン装置のリアキャビネットを示した斜視図である。
【図４】図３の５００−５００線に沿ったテレビジョン装置のリアキャビネットの断面に光学シート、表示パネルおよびフロントキャビネットを取り付けた状態を示した断面図である。
【図５】リアキャビネットへの光学シートの取り付けについて説明するための図である。
【図６】本発明の第２実施形態によるテレビジョン装置のリアキャビネットを示した斜視図である。
【図７】本発明の第３実施形態によるテレビジョン装置のリアキャビネット、光学シート、表示パネルおよびフロントキャビネットを示した断面図である。
【発明を実施するための形態】
【００２０】
以下、本発明の実施形態を図面に基づいて説明する。
【００２１】
（第１実施形態）
図１〜図５を参照して、本発明の第１実施形態によるテレビジョン装置１００の構成について説明する。なお、テレビジョン装置１００は、本発明の「表示装置」の一例である。
【００２２】
本発明の第１実施形態によるテレビジョン装置１００は、図１に示すように、リアキャビネット１を含む表示モジュール２と、表示モジュール２を前方から収容するフロントキャビネット（前側筐体）３とを備えている。また、テレビジョン装置１００は、フロントキャビネット３が表示モジュール２の周縁部を前面側から覆うように設けられ、リアキャビネット１に固定されるように構成されている。また、リアキャビネット１およびフロントキャビネット３は、共に樹脂により形成されている。なお、本発明によるテレビジョン装置１００は、一般的なテレビジョン装置に設けられるリアフレームを備えてはおらず、リアキャビネット１がリアフレームの機能を兼ねている。また、リアキャビネット１の内面側（前面側）には、チューナ部を含む回路基板（図示せず）などが固定されている。
【００２３】
図２に示すように、テレビジョン装置１００の表示モジュール２は、液晶パネル２１と、各種の光学シート２２と、反射シート２３と、光源部２４とを含んでいる。なお、液晶パネル２１は、本発明の「表示パネル」の一例である。
【００２４】
ここで、第１実施形態では、図４に示すように、テレビジョン装置１００は、リアキャビネット１の後述する光学シート保持部１０により光学シート２２を保持し、リアキャビネット１の後述する液晶パネル支持部１１により液晶パネル２１を支持するように構成されている。すなわち、テレビジョン装置１００は、リアキャビネット１側に液晶パネル２１および光学シート２２の両方が取り付けられるように構成されている。詳細については後述する。なお、液晶パネル支持部１１は、本発明の「表示パネル支持部」の一例である。
【００２５】
以下の説明では、テレビジョン装置１００の液晶パネル２１側を前方（Ｙ１方向）とし、前方の逆方向を後方（Ｙ２方向）とする。また、前後方向（Ｙ方向）に直交する方向を横方向とする。また、横方向は、左右方向（Ｘ方向）と上下方向（Ｚ方向）とを含む。また横方向のうちテレビジョン装置１００の内側に向かう方向を内側方向とする。
【００２６】
次に、テレビジョン装置１００の各部の構成について説明する。
【００２７】
図２および図４に示すように、フロントキャビネット３は、矩形形状かつ枠状に形成されている。また、フロントキャビネット３は、液晶パネル２１の前方（Ｙ１方向）への移動を規制する前側規制部３１を含んでいる。詳細には、前側規制部３１は、矩形形状かつ枠状に形成されている。また、前側規制部３１は、液晶パネル２１の端部近傍の前方（Ｙ１方向）に配置されている。そして、前側規制部３１は、液晶パネル２１が前方（Ｙ１方向）に移動した（偏った）場合に、液晶パネル２１に当接して、それ以上液晶パネル２１が前方（Ｙ１方向）に移動しないように液晶パネル２１の移動を規制するように構成されている。また、前側規制部３１は、液晶パネル２１の前面２１ａに対向する部分に、貼り付けされる弾性変形可能なテープ部材３２を含んでいる。
【００２８】
また、フロントキャビネット３は、第２側壁部３３をさらに含んでいる。この第２側壁部３３は、外縁部３４から後方（Ｙ２方向）に延びるように形成されている。また、フロントキャビネット３は、この第２側壁部３３の内面３３ａがリアキャビネット１の後述する第１側壁部１２の外面１２ａ（図３参照）に近接した状態で、リアキャビネット１に取り付けられるように構成されている。また、フロントキャビネット３は、第２側壁部３３の外側から、第２側壁部３３と第１側壁部１２とを締結するネジ９０（図４参照）によりリアキャビネット１に取付けられている。
【００２９】
液晶パネル２１は、前面２１ａに画像を表示する表示面を有している。また、液晶パネル２１は、光学シート２２の前方（Ｙ１方向）に配置されている。また、液晶パネル２１は、前方から見て、矩形形状に形成されている。また、液晶パネル２１は、リアキャビネット１の後述する液晶パネル支持部１１（図３参照）により４辺が支持されるように構成されている。なお、液晶パネル２１は、液晶パネル２１が熱膨張した場合でも、フロントキャビネット３およびリアキャビネット１に対して、前後方向（Ｙ方向）および横方向（Ｘ方向およびＺ方向）に隙間が確保されるように構成されている。
【００３０】
また、液晶パネル２１は、前後方向（Ｙ方向）に所定の隙間を確保した状態でリアキャビネット１の液晶パネル支持部１１と、フロントキャビネット３の前側規制部３１（テープ部材３２）との間に挟まれるように配置されている。
【００３１】
光学シート２２は、拡散シートやその他の機能性シートなどであり、複数設けられている。また、複数設けられる光学シート２２は、１つに重ねられてリアキャビネット１に取り付けられている。また、光学シート２２は、Ｘ方向が長辺２２ｃ、Ｚ方向が短辺２２ｄとなる矩形形状に形成されている。また、光学シート２２は、樹脂により形成され、撓み変形可能なように構成されている。なお、光学シート２２は、熱膨張した場合でも、リアキャビネット１に対して、前後方向（Ｙ方向）および横方向（Ｘ方向およびＺ方向）に隙間が確保されるように構成されている。
【００３２】
また、光学シート２２は、リアキャビネット１の後述する光学シート保持部１０により４辺が保持される（図５参照）ように構成されている。
【００３３】
反射シート２３は、光学シート２２の背面側に配置され、光源部２４から出射された光を光学シート２２側に反射させるように構成されている。また、反射シート２３は、切り込みや曲げなどが設けられた１枚のシート材料から形成されている。そして、反射シート２３は、所定形状に形作られて、リアキャビネット１に取り付けられている。
【００３４】
図２に示すように、光源部２４は、複数のＬＥＤからなる光源２４ａを含む。個々の光源２４ａは、反射シート２３の後方（Ｙ２方向）から開口２３ａを通過して反射シート２３の前側に配置されている。なお、テレビジョン装置１００は、光源部２４が液晶パネル２１の背面側に配置された、いわゆる直下型バックライトタイプの液晶テレビジョン装置である。
【００３５】
図４に示すように、リアキャビネット１は、第１側壁部１２を含んでいる。また、リアキャビネット１は、光学シート２２を保持する光学シート保持部１０と、液晶パネル２１を支持する液晶パネル支持部１１とをさらに含んでいる。また、光学シート保持部１０は、光学シート２２の後面２２ａを保持する後面保持部１４と、光学シート２２の前面２２ｂを保持する前面保持部１３（１３ａおよび１３ｂ）（図３参照）とを有している。
【００３６】
第１側壁部１２は、外縁部１ａから前方（Ｙ１方向）に延びるように形成されている。また、第１側壁部１２の内面１２ｂは、光学シート２２の端部および液晶パネル２１の端部と所定間隔だけ離間している。
【００３７】
後面保持部１４は、反射シート２３を介して光学シート２２の後面２２ａを保持するように構成されている。また、前面保持部１３は、第１側壁部１２の前後方向（Ｙ方向）における途中から横方向かつ内側方向に突出するように構成されている。すなわち、リアキャビネット１は、第１側壁部１２および前面保持部１３の断面形状が横向きのＴ字形状をなすように形成されている。
【００３８】
また、図３に示すように、後面保持部１４は、光学シート２２の４辺（長辺２２ｃおよび短辺２２ｄ、図５参照）の各々において互いに対向する位置に設けられている。
【００３９】
詳細には、前面保持部１３ａは、光学シート２２の一対の長辺２２ｃ側の中央の位置に１つ設けられている。また、前面保持部１３ｂは、一対の短辺２２ｄ側の中央の位置に１つ設けられているとともに、一対の短辺２２ｄ側の両端部の位置に２つ（計３つ）設けられている。また、長辺２２ｃ側の位置に設けられた１つの前面保持部１３ａは、光学シート２２の長辺２２ｃの延びる方向（Ｘ方向）に延びるように形成されている。また、短辺２２ｄ側の位置に設けられた３つの前面保持部１３ｂは、それぞれ、光学シート２２の短辺２２ｄの延びる方向（Ｚ方向）に延びるように形成されている。また、短辺２２ｄ側の位置に設けられた３つの前面保持部１３ｂは、互いに所定間隔離間して配置されている。
【００４０】
また、図５に示すように、上下方向（Ｚ方向）に互いに対向する一対の前面保持部１３ａは、内側方向の先端間の距離Ａ１が、光学シート２２の短辺２２ｄの長さＢ１よりも小さくなるように構成されている。また、左右方向（Ｘ方向）に互いに対向する一対の前面保持部１３ｂは、内側方向の先端間の距離Ａ２が、光学シート２２の長辺２２ｃの長さＢ２よりも小さくなるように構成されている。したがって、リアキャビネット１は、光学シート２２を撓み変形させることにより、光学シート２２が取り付けられるように構成されている。また、光学シート２２の取り付けの際、リアキャビネット１は、光学シート２２の長辺２２ｃ側に設けられた一対の前面保持部１３ａが離間する方向に弾性変形されることにより、光学シート２２が取り付けられるように構成されている。なお、光学シート２２の取り付けの詳細については後述する。
【００４１】
また、図４に示すように、前面保持部１３には、内側方向かつ後方（Ｙ２方向）の位置に切欠部１５が設けられている。この切欠部１５は、光学シート２２の端部近傍からの光を妨げることなく液晶パネル２１に到達させることが可能なように設けられている。
【００４２】
リアキャビネット１の液晶パネル支持部１１は、前面保持部１３の前面により構成されている。すなわち、液晶パネル支持部１１は、前面保持部１３の一部であり、前面保持部１３のＹ１方向側の面である。この液晶パネル支持部１１は、液晶パネル２１を後方（Ｙ２方向）側から支持するように構成されている。また、液晶パネル支持部１１は、液晶パネル２１の後面２１ｂに対向する部分に、貼り付けされる弾性変形可能なテープ部材１３ｃを含んでいる。
【００４３】
また、図５に示すように、液晶パネル支持部１１は、光学シート２２の４辺（長辺２２ｃおよび短辺２２ｄ）の各々において互いに対向する位置に設けられている。
【００４４】
詳細には、液晶パネル支持部１１は、光学シート２２の一対の長辺２２ｃ側の中央の位置に１つ設けられている。また、液晶パネル支持部１１は、一対の短辺２２ｄ側の中央の位置に１つ設けられているとともに、一対の短辺２２ｄ側の両端部の位置に２つ（計３つ）設けられている。また、長辺２２ｃ側の位置に設けられた１つの液晶パネル支持部１１は、長辺２２ｃの延びる方向（Ｘ方向）に延びるように形成されている。また、短辺２２ｄ側の位置に設けられた３つの液晶パネル支持部１１は、それぞれ、短辺２２ｄの延びる方向（Ｚ方向）に延びるように形成されている。また、短辺２２ｄ側の位置に設けられた３つの液晶パネル支持部１１は、互いに所定間隔離間して配置されている。
【００４５】
次に、図５を参照して、リアキャビネット１への光学シート２２の取り付け方法について説明する。なお、リアキャビネット１には、光源部２４および反射シート２３が取り付けられた状態であるとする。また、リアキャビネット１は、背面を設置面に接触させる状態で配置されているとする。
【００４６】
まず、リアキャビネット１に光学シート２２のＸ方向の両端部の短辺２２ｄ側を取り付ける。詳細には、光学シート２２の長辺方向の長さＢ２が、一対の前面保持部１３ｂの内側方向の先端間の距離Ａ２よりも小さくなるように光学シート２２を撓み変形させる。そして、光学シート２２のＸ方向側の両端部をリアキャビネット１の前面保持部１３ｂの下方（後方（Ｙ２方向））側に配置する。この状態では、光学シート２２のＺ方向側の両端部は、リアキャビネット１の前面保持部１３ａの上方（前方（Ｙ１方向））側に配置されている。
【００４７】
次に、リアキャビネット１に光学シート２２のＹ方向の両端部の長辺２２ｃ側を取り付ける。詳細には、リアキャビネット１の上下方向（Ｚ方向）に互いに対向する一対の前面保持部１３ａが離間する方向にリアキャビネット１を弾性変形させる。すなわち、一対の前面保持部１３ｂの内側方向の先端間の距離Ａ１が、光学シート２２の短辺方向の長さＢ１よりも大きくなるようにリアキャビネット１を弾性変形させる。この状態で、光学シート２２のＺ方向側の両端部を前面保持部１３ａの下方（後方（Ｙ２方向））側に配置する。
【００４８】
以上により、リアキャビネット１に光学シート２２が取り付けられ、保持される。なお、光学シート２２の取り付け後に、上方（前方（Ｙ１方向））から液晶パネル２１およびフロントキャビネット３がリアキャビネット１に対して順に取り付けられる。
【００４９】
第１実施形態では、以下のような効果を得ることができる。
【００５０】
第１実施形態では、上記のように、光学シート２２を保持する光学シート保持部１０と、液晶パネル２１を支持する液晶パネル支持部１１とをリアキャビネット１に設けることによって、リアキャビネット１に対して光学シート２２および液晶パネル２１を共に取り付けることによりテレビジョン装置１００の組立作業を行うことができる。これにより、一つの部品（リアキャビネット）に対して他の部品（光学シート２２および液晶パネル２１）の組立作業を順に行うことができるので、組立作業性を向上させることができる。また、リアキャビネット１を樹脂により形成することによって、リアキャビネット１に対して光学シート２２を取り付ける際に、必要に応じでリアキャビネット１を弾性変形させることができるので、リアキャビネット１に光学シート２２を容易に取り付けることができる。
【００５１】
また、第１実施形態では、上記のように、リアキャビネット１の光学シート保持部１０を、光学シート２２の後面２２ａを保持する後面保持部１４と、光学シート２２の後面２２ｂを保持する前面保持部１３とを有し、光学シート２２を後面保持部１４と前面保持部１３との間に挟み込むことにより保持するように構成し、リアキャビネット１の液晶パネル支持部１１を、前面保持部１３の前面により構成する。これにより、後面保持部１４と前面保持部１３との間に光学シート２２が挟み込まれるので、光学シート２２を安定して保持することができる。また、光学シート２２を前面保持部１３の後側に配置し、液晶パネル２１を前面保持部１３の前側に配置するので、リアキャビネット１に対して光学シート２２と液晶パネル２１とを取り付けるだけで、前面保持部１３により光学シート２２と液晶パネル２１とを所定間隔だけ離間させることができる。
【００５２】
また、第１実施形態では、上記のように、リアキャビネット１に、外縁部１ａから前方に延びる第１側壁部１２を設け、リアキャビネット１の前面保持部１３を、第１側壁部１２の前後方向における途中から、内側方向、かつ、前後方向と直交する横方向に突出するように構成する。これにより、リアキャビネット１の横方向の大きさは、光学シート２２の横方向の大きさに加えて、光学シート２２および液晶パネル２１の横方向の熱膨張分、および、第１側壁部１２の厚み分のみを加えたものとすることができるので、リアキャビネット１の横方向の大きさを小さく形成することができる。その結果、フロントキャビネット３の額縁領域を狭くすることができる。
【００５３】
また、第１実施形態では、上記のように、液晶パネル２１の前方への移動を規制する前側規制部３１を含むフロントキャビネット３を設け、液晶パネル２１を、液晶パネル支持部１１と、フロントキャビネット３の前側規制部３１との間に挟まれるように配置する。これにより、リアキャビネット１に前側規制部を有するフロントキャビネット３を取り付けることにより、液晶パネル２１を支持することができるので、液晶パネル２１の移動を規制するベゼルをなくすことができる。その結果、部品点数を削減することができる。また、部品点数の削減により、組立工程数を削減することができるので、組立作業性をより向上させることができる。
【００５４】
また、第１実施形態では、上記のように、光学シート２２を、矩形形状に形成し、光学シート保持部１０により４辺が保持されるように構成する。これにより、光学シート保持部１０により光学シート２２の４辺すべてが保持されるので、光学シート２２が上下方向および左右方向のいずれの変形に対しても撓みにくくなる。その結果、光学シート２２がリアキャビネット１から外れにくくるので、光学シート２２を安定して保持することができる。
【００５５】
また、第１実施形態では、上記のように、リアキャビネット１の光学シート保持部１０および液晶パネル支持部１１を、光学シート２２の４辺の各々において互いに対向する位置に設ける。これにより、光学シート２２に対して、光学シート保持部１０および液晶パネル支持部１１がバランスよく配置されるので、光学シート２２をより安定して保持することができるとともに、液晶パネル２１を安定して支持することができる。
【００５６】
また、第１実施形態では、上記のように、リアキャビネット１の光学シート保持部１０および液晶パネル支持部１１を、光学シート２２の一対の長辺２２ｃの中央の位置に１つ設け、光学シート２２の一対の短辺２２ｄの中央の位置と端部の位置とに複数設ける。これにより、リアキャビネット１の長辺側の方がリアキャビネット１の短辺側よりも弾性変形させやすいので、リアキャビネット１に対して光学シート２２の短辺２２ｄ側を取り付けてから光学シート２２の長辺２２ｃ側を取り付ける際に、リアキャビネット１の長辺側を弾性変形させることにより、光学シート２２をリアキャビネット１に容易に取り付けることができる。
【００５７】
また、第１実施形態では、上記のように、リアキャビネット１に外縁部１ａから前方に延びる第１側壁部１２を設け、フロントキャビネット３に外縁部３４から後方に延びる第２側壁部３３を設け、フロントキャビネット３を、第２側壁部３３の内面３３ａがリアキャビネット１の第１側壁部１２の外面１２ａに近接した状態でリアキャビネット１に取り付けられるように構成する。これにより、リアキャビネット１の第１側壁部１２とフロントキャビネット３の第２側壁部３３とが近接して配置されるので、フロントキャビネット３の額縁領域を狭くすることができる。
【００５８】
（第２実施形態）
次に、図1および図６を参照して、第２実施形態について説明する。この第２実施形態では、光学シート２２の短辺２２ｄの一部をリアキャビネット１の前面保持部１３ｂにより保持した上記第１実施形態と異なり、光学シート２２の短辺２２ｄの略全域をリアキャビネット２０１の前面保持部２１３ｂにより保持した例について説明する。なお、上記第１実施形態と同様の構成は、第１実施形態と同じ符号を付して図示するとともに説明を省略する。
【００５９】
図６に示すように、第２実施形態によるテレビジョン装置２００（図１参照）では、リアキャビネット２０１の光学シート保持部２１０および液晶パネル支持部２１１は、光学シート２２の４辺（短辺２２ｄおよび長辺２２ｃ）のうちの対向する短辺２２ｄの略全域に設けられている。なお、テレビジョン装置２００は、本発明の「表示装置」の一例である。
【００６０】
詳細には、光学シート保持部２１０は、光学シート２２の後面２２ａを保持する後面保持部１４と、光学シート２２の前面２２ｂを保持する前面保持部２１３ｂとを有している。前面保持部２１３ｂは、一対の短辺２２ｄ側の略全域に設けられている。また、短辺２２ｄ側に設けられた前面保持部２１３ｂは、光学シート２２の短辺２２ｄの延びる方向（Ｚ方向）に延びるように形成されている。したがって、光学シート２２の左右方向（Ｘ方向）側の両端部は、リアキャビネット２０１に取り付けられた状態において前面保持部２１３ｂに完全に覆われた状態で保持されている。
【００６１】
リアキャビネット２０１の液晶パネル支持部２１１は、前面保持部２１３ｂの前面により構成されている。すなわち、液晶パネル支持部２１１は、前面保持部２１３ｂの一部であり、前面保持部２１３ｂのＹ１方向側の面である。この液晶パネル支持部２１１は、液晶パネル２１を後方（Ｙ２方向）側から支持するように構成されている。また、液晶パネル支持部２１１は、液晶パネル２１の後面２１ｂに対向する部分に、貼り付けされる弾性変形可能なテープ部材２１３ｃを含んでいる。
【００６２】
第２実施形態のその他の構成は、上記第１実施形態と同様である。
【００６３】
第２実施形態では、以下のような効果を得ることができる。
【００６４】
第２実施形態では、上記第１実施形態と同様に、光学シート２２を保持する光学シート保持部１０および２１０と、液晶パネル２１を支持する液晶パネル支持部１１および２１１とをリアキャビネット２０１に設けることによって、組立作業性を向上させることができる。
【００６５】
また、第２実施形態では、上記のように、リアキャビネット２０１の光学シート保持部２１０および液晶パネル支持部２１１を、光学シート２２の４辺のうちの対向する一対の短辺２２ｄの略全域を保持するように設ける。これにより、光学シート２２を対向する２辺の略全域で保持することができるので、光学シート２２を一層安定して保持することができる。
【００６６】
（第３実施形態）
次に、図1および図７を参照して、第３実施形態について説明する。この第３実施形態では、リアキャビネット１に対してフロントキャビネット３をネジ９０により締結した上記第１実施形態と異なり、リアキャビネット３０１に対してフロントキャビネット３０３を係合部３４０により係合した例について説明する。なお、上記第１実施形態と同様の構成は、第１実施形態と同じ符号を付して図示するとともに説明を省略する。
【００６７】
図７に示すように、第３実施形態によるテレビジョン装置３００（図１参照）では、フロントキャビネット３０３は、第２側壁部３３に設けられ、リアキャビネット３０１に係合する係合部３４０をさらに含んでいる。また、この係合部３４０は、光学シート保持部１０および液晶パネル支持部１１に対応する位置に配置されている。なお、テレビジョン装置３００は、本発明の「表示装置」の一例である。
【００６８】
詳細には、係合部３４０は、第２側壁部３３の内面から内側方向に突出する三角形状を有する。リアキャビネット３０１には、係合部３４０が係合する凹部３４１が外面１２ａに設けられている。また、図示は省略するが、光学シート２２の長辺２２ｃ側に設けられた係合部３４０は、前面保持部１３ａのＸ方向およびＹ方向に対応する位置（図３参照）に配置されている。また、光学シート２２の短辺２２ｄ側に設けられた係合部３４０は、前面保持部１３ｂのＺ方向およびＹ方向に対応する位置（図３および図７参照）に配置されている。
【００６９】
第３実施形態のその他の構成は、上記第１実施形態と同様である。
【００７０】
第３実施形態では、以下のような効果を得ることができる。
【００７１】
第３実施形態では、上記第１実施形態と同様に、光学シート２２を保持する光学シート保持部１０と、液晶パネル２１を支持する液晶パネル支持部１１とをリアキャビネット３０１に設けることによって、組立作業性を向上させることができる。
【００７２】
また、第３実施形態では、上記のように、フロントキャビネット３０３に、第２側壁部３３に設けられるとともに、リアキャビネット３０１に係合する係合部３４０を設け、係合部３４０を、液晶パネル支持部１１および液晶パネル支持部１１に対応する位置に配置する。これにより、リアキャビネット３０１にフロントキャビネット３０３を取り付ける際に用いる締結部材を削減または抹消することができるので、係合部３４０により、容易にリアキャビネット３０１にフロントキャビネット３０３を係合させることができる。また、液晶パネル支持部１１の位置と係合部３４０の位置とが対応するので、係合部３４０の近傍において、フロントキャビネット３０３の前側規制部３１と液晶パネル支持部１１との距離を一定に保つことができる。
【００７３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７４】
たとえば、上記第１〜第３実施形態では、テレビジョン装置に本発明を適用した例を示したが、テレビジョン装置以外の表示装置に本発明を適用してもよい。
【００７５】
また、上記第１〜第３実施形態では、表示パネル支持部が前面保持部の前面により構成される例について示したが、本発明はこれに限られない。本発明では、表示パネル支持部が前面保持部とは異なる部分として設けられていてもよい。
【００７６】
また、上記第１〜第３実施形態では、フロントキャビネットをリアキャビネットに、ネジにより固定または係合部により係合させる例について示したが、本発明はこれに限られない。本発明では、例えば、固定用のピンにより、フロントキャビネットをリアキャビネットに固定してもよい。
【００７７】
また、上記第１〜第３実施形態では、テレビジョン装置がベゼルを備えていない例について示したが、本発明はこれに限られない。本発明では、テレビジョン装置がベゼルを備えていてもよい。
【００７８】
また、上記第１および第３実施形態では、リアキャビネットの光学シート保持部および表示パネル支持部は、光学シートの一対の長辺の中央に１つ設け、光学シートの一対の短辺２２ｄの中央と端部とに複数設ける例について示したが、本発明はこれに限られない。本発明では、たとえば、リアキャビネットの光学シート保持部および表示パネル支持部は、光学シートの一対の短辺２２ｄの中央に１つ設け、光学シートの一対の長辺の中央と端部とに複数設けてもよい。
【符号の説明】
【００７９】
１、２０１、３０１  リアキャビネット
１ａ  外縁部
３、２０３、３０３  フロントキャビネット
１０、２１０  光学シート保持部
１１、２１１  液晶パネル支持部（表示パネル支持部）
１２  第１側壁部
１２ａ  外面
１３、１３ａ、１３ｂ、２１３ｂ  前面保持部
１４  後面保持部
２１  液晶パネル（表示パネル）
２２  光学シート
２２ａ  後面
２２ｂ  前面
２２ｃ  長辺
２２ｄ  短辺
２３  反射シート
３１  前側規制部
３３  第２側壁部
３３ａ  内面
３４  外縁部
１００、２００、２００  テレビジョン装置（表示装置）
３４０  係合部
【図１】
2015226270.tif 000003
【図２】
2015226270.tif 000004
【図３】
2015226270.tif 000005
【図４】
2015226270.tif 000006
【図５】
2015226270.tif 000007
【図６】
2015226270.tif 000008
【図７】
2015226270.tif 000009